(57)【特許請求の範囲】
【請求項１】
円形状の側部開口部が形成されたボディと、前記側部開口部を塞ぐ円形状の蓋部材とを有するリール本体と、
前記ボディと前記蓋部材とにより回転自在に支持されるハンドル軸と、
前記リール本体に前後に摺動自在に支持され、後部が前記ボディ内に位置するスプール軸と、
前記ハンドル軸の回転により前記スプール軸とともに前後動する摺動子と、前記摺動子を前後方向に摺動案内するガイド軸とを有するスプール往復動装置と、
を備え、
前記スプール軸の後部及び前記ガイド軸のそれぞれを、前記ハンドル軸を境に上側と下側に振り分け配置し、
前記摺動子の前記ハンドル軸の対向部に、前記ハンドル軸の少なくとも一部を受け入れる凹部が形成されており、
前記側部開口部には、雌ねじ部が設けられ、
前記蓋部材には、雄ねじ部が設けられ、
前記蓋部材が前記側部開口部に着脱可能に螺合固定していることを特徴とする魚釣用スピニングリール。
【請求項２】
前記蓋部材には、前記側部開口部の内周面に当接し、前記側部開口部との同芯度を得るための当接部が形成されていることを特徴とする請求項１に記載の魚釣用スピニングリール。
【請求項３】
前記リール本体は、前記ボディの後部に取り付けられるカバー部材をさらに備え、
前記ボディの後部には、前記スプール往復動装置を構成する構成部材の少なくとも一部を受け入れて後方に配置するための後部開口部が形成され、
前記カバー部材は、前記後部開口部及び前記構成部材を覆うことを特徴とする請求項１又は請求項２に記載の魚釣用スピニングリール。
【発明の詳細な説明】
【技術分野】
【０００１】
本発明は、魚釣用スピニングリールに関する。
【背景技術】
【０００２】
魚釣用スピニングリールのリール本体は、ハンドル軸を回転自在に支持するボディを備える。また、ボディは、ドライブギャ及びスプール往復動装置等の駆動部を収容するための筐体としての役割を有している。このため、ボディは、側方に向って開口する有底箱状を呈し、ボディの側方の開口（以下、側部開口部という）から、ハンドル軸と一体回転するドライブギャ等の巻取駆動機構やスプール往復動装置等をボディ内に組み付けて蓋部材で閉塞する構成となっている。
【０００３】
また、スプールに釣糸を平行に巻回するためのスプール往復動装置は、公知のように、スプール軸の後部に連結固定した摺動子の案内溝に、ハンドル軸の回転に連動回転する連動歯車の偏芯突起が係合し、ハンドルの回転をスプールの前後往復動に変換するように構成されている。
【０００４】
一方で、スプール軸を前後往復動させるスプール往復動装置の摺動子を案内するガイド軸は、ボディ内の下部側に前後方向に配置されている。このため、摺動子及びスプール軸が移動の際に占有する空間（収容部）は、ボディ内の空間においてハンドル軸を境に下側に広く、かつ、後方側に長くなっている（特許文献１参照）。
【先行技術文献】
【特許文献】
【０００５】
【特許文献１】特許第４７０９０５４号公報
【発明の概要】
【発明が解決しようとする課題】
【０００６】
ところで、近年、魚釣り操作性や携帯性向上のために、リール本体の小型化が魚釣用スピニングリールの重要な要素の１つとなっている。
しかしながら、前記従来構造において巻取駆動部やスプール往復動装置等を収容するリール本体を小型化すると、ボディ空間内が狭小となる。
そして、狭小化したボディ空間内の所定位置に、スプール往復動装置の駆動要素を収容配置すると、結果としてスプール往復動装置の前後ストロークが短縮して所定の糸巻き量が確保できなくなったり、ドライブギャの小径化を招いて巻取りギャ比が低くなったり等、スプール往復動装置や巻取駆動装置の機能が低下する。
【０００７】
本発明は、このような課題を解決するために創作されたものであり、リール本体の小型化を図りつつ、スプール往復動装置や巻取駆動装置の機能低下を回避できる魚釣用スピニングリールを提供することを課題とする。
【課題を解決するための手段】
【０００８】
前記課題を解決するため、本発明に係る魚釣用スピニングリールは、円形状の側部開口部が形成されたボディと、前記側部開口部を塞ぐ円形状の蓋部材とを有するリール本体と、前記ボディと前記蓋部材とにより回転自在に支持されるハンドル軸と、前記リール本体に前後に摺動自在に支持され、後部が前記ボディ内に位置するスプール軸と、前記ハンドル軸の回転により前記スプール軸とともに前後動する摺動子と、前記摺動子を前後方向に摺動案内するガイド軸とを有するスプール往復動装置と、を備え、前記スプール軸の後部及び前記ガイド軸のそれぞれを、前記ハンドル軸を境に上側と下側に振り分け配置し、前記摺動子の前記ハンドル軸の対向部に、前記ハンドル軸の少なくとも一部を受け入れる凹部が形成されており、前記側部開口部には、雌ねじ部が設けられ、前記蓋部材には、雄ねじ部が設けられ、前記蓋部材が前記側部開口部に着脱可能に螺合固定していることを特徴とする。
【０００９】
前記発明によれば、円形状の側部開口部が形成されたボディ内部空間の中央部にハンドル軸が設けられると、そのハンドル軸を境として上下の内部スペースが形成される。
このため、その上下の内部スペースに、スプール往復動装置の摺動子の摺動案内用のガイド軸と摺動子に連結されてスプールを前後動するスプール軸とのそれぞれを、バランス良く振り分け収容配置することが可能となり、リール本体の小型化を図りつつ、スプールの十分な前後ストロークの確保ができる。
また、円形状の側部開口部と相似形の外径を有するドライブギャを収容できるので、リール本体の小型化を図りつつ、ドライブギャの可及的な大径化が可能となり、高速度ギャ比や強度の維持が可能となる。
【００１０】
さらに、蓋部材及び側部開口部が円形になっていることから、蓋部材から側部開口部に作用する荷重（例えばハンドル操作の際に発生する荷重）は、側部開口部の全周に均一に分散する。よって、ボディ（側部開口部）の一部に荷重（応力）が集中し難く、ボディの耐久性が優れる。
【００１２】
また、蓋部材が側部開口部に着脱可能に螺合固定しているので、蓋部材が側部開口部に対して周方向に均一な締結力をもって固定される。また、蓋部材をボディに固定するための複数のねじ等を不要とすることができ、部品点数の削減を図れると共に組み込み、分解性が向上する。また、ネジの折損も防止できる。
【００１３】
また、前記発明において、前記蓋部材には、前記側部開口部の内周面に当接し、前記側部開口部との同芯度を得るための当接部が形成されていることが好ましい。
【００１４】
前記構成によれば、蓋部材と側部開口部との高精度な同芯度が得られるため、ハンドル軸の一端側を支持する蓋部材の中心と、ハンドル軸の他端側を支持するボディの中心とが一致する。よって、ハンドル軸の回転がスムーズとなり、ハンドルの操作性が向上する。
【００１５】
また、前記発明において、前記リール本体は、前記ボディの後部に取り付けられるカバー部材をさらに備え、前記ボディの後部には、前記スプール往復動装置を構成する構成部材の少なくとも一部を受け入れて後方に配置するための後部開口部が形成され、前記カバー部材は、前記後部開口部及び前記構成部材を覆うことが好ましい。
【００１６】
前記構成によれば、後部開口部から構成部材の少なくとも一部をボディの後方に配置することができる。このため、ボディ内の空間の大きさに制限されることがなく、所望の大きさの構成部材を用いることができる。
また、カバー部材が構成部材及び後部開口部を覆うため、海水や塵埃が構成部材に付着したり、ボディ内に入り込んだりするおそれがない。
【発明の効果】
【００１７】
本発明によれば、リール本体の小型化を達成しつつ、十分な摺動子のストロークを確保することができる。また、ボディが破損し難いため、耐久年数の長いリール本体を提供することができる。
【図面の簡単な説明】
【００１８】
【図１】本発明の一実施形態に係る魚釣用スピニングリールの全体構成を示す側面図である。
【図２】リール本体を示す側面図である。
【図３】蓋部材を取り外したリール本体の側面図である。
【図４】リール本体の内部構造を示す横断面図である。
【図５】（ａ）はボディの側面図であり、（ｂ）はカバー部材を取り外した状態のリール本体の後面図である。
【図６】（ａ）は摺動子がストロークの最後端位置にある場合におけるリール本体の縦断面図であり、（ｂ）は摺動子がストロークの最前端位置にある場合におけるリール本体の縦断面図である。
【図７】図４の破線で囲まれる範囲を拡大した拡大断面図である。
【発明を実施するための形態】
【００１９】
以下、本発明の魚釣用スピニングリールの実施形態について図面を参照して説明する。以下の説明において、「前後」「上下」を言うときは、図１に示した方向を基準とし、「左右」を言うときは、図４に示す方向を基準とする。
【００２０】
図１に示すように、魚釣用スピニングリール１００は、ハンドル５ａが取り付けられたリール本体１と、リール本体１の前側に設けられハンドル５ａの巻き取り操作により回転するロータ２と、ロータ２の前側に設けられハンドル５ａの巻き取り操作により前後方向に往復運動するスプール３とを備える。
【００２１】
図２に示すように、リール本体１は、左側に向って開口する側部開口部１３が形成されたボディ１０と、ボディ１０の上部から上方に延びて釣竿に装着される竿取付部１１ａを先端に有する脚部１１と、ボディ１０の前側に設けられた筒状のボディ前部１２と、側部開口部１３を塞ぐ蓋部材３０と、ボディ１０の後部に取り付けられた保護カバー４０とを備える。
なお、ボディ１０と蓋部材３０と保護カバー４０との詳細については後述する。
【００２２】
リール本体１には、ボディ前部１２内から前方に突出するように、駆動軸筒７及びスプール軸８が組み付けられている。そして、駆動軸筒７の前端には、ロータ２（図１参照）が取り付けられている。
スプール軸８の前端には、スプール３（図１参照）が取り付けられている。これにより、リール本体１とロータ２とスプール３とが一体になっている。
【００２３】
なお、図１に示すように、スプール３は、前から順に、前フランジ部３ａ、糸巻胴部３ｂ、スカート部３ｃを備える。
そして、魚釣用スピニングリール１００が釣竿に装着された場合、例えば、釣竿と前フランジ部３ａとの距離Ｌ１がサミング（釣竿を把持する手の人指し指で放出糸に抵抗付与）を行うことができる距離となるように、スプール軸８（スプール軸８の中心軸Ｏ２を参照）がリール本体１に設定されている。
【００２４】
図３に示すように、駆動軸筒７の後端は、ボディ１０内に位置している。そして、その駆動軸筒７の後端には、ピニオンギャ７ａが形成されている。
スプール軸８の後部８ａは、駆動軸筒７の後端よりも後方に突出し、ボディ１０内に位置している。
そのほか、ボディ１０内には、左右方向に延在するハンドル軸５と、ハンドル軸５に固定されるドライブギャ６及び歯車（軸筒）６ａと、スプール往復動装置７０とが組み付けられている。
【００２５】
図４に示すように、ハンドル軸５は、軸受５ｃ、５ｄを介してボディ１０と蓋部材３０とに回転自在に支持されている。
ハンドル軸５の左端部は、蓋部材３０を貫通するとともに、ハンドル５ａに設けられた連結軸５ｂと螺合し、ハンドル軸５とハンドル５ａとが一体になっている。
ハンドル軸５において左右方向中央部よりも左寄りの位置に、ピニオンギャ７ａに噛合するドライブギャ６が固定されている。
なお、ハンドル軸５において左右方向中央部よりも右寄りの位置に、歯車６ａが固定されている。
以上から、ハンドル５ａの巻き取り操作が行われると、巻き取り操作による駆動力がハンドル軸５、ドライブギャ６、ピニオンギャ７ａを介して駆動軸筒７に伝達し、駆動軸筒７とともにロータ２が回転する。
【００２６】
図３に示すように、スプール往復動装置７０は、ボディ１０の前後方向に延びるガイド軸７１と、右側面に案内溝７３が形成されてガイド軸７１に沿って移動する摺動子７２と、案内溝７３に係合する偏芯突部７５が形成された連動歯車（構成部材）７４とを備える。
図４に示すように、摺動子７２には、スプール軸８の後端から後方に突出する突出部８ｂが連結し、摺動子７２とスプール軸８が一体になっている。
なお、摺動子７２と突出部８ｂとは図示しないボルトにより抜け止めされている。
スプール往復動装置７０の連動歯車７４は、ハンドル軸５から後方下側の位置に設けられてボディ１０の底部に位置し（図３参照）、歯車６ａの後側と噛合している。
以上から、ハンドル５ａの巻き取り操作が行われると、巻き取り操作による駆動力が歯車６ａを介して連動歯車７４に伝達し、連動歯車７４を回転する。また、連動歯車７４の偏芯突部７５は、摺動子７２の案内溝７３の側面を押圧し、摺動子７２とスプール軸８（スプール３）が前後方向に往復運動する。
なお、スプール往復動装置７０の配置の詳細については後述する。
【００２７】
つぎに、ボディ１０及び保護カバー４０の詳細、スプール往復動装置７０の配置、蓋部材３０の詳細を説明する。
【００２８】
図５（ａ）に示すように、ボディ１０は、底部に周壁を有する有底箱状（筒状）を呈し、左側に向って開口している。ボディ１０は、円板状の右壁部２２と、右側部２２の周端縁から左側に延びる筒状の筒部２１とを備える。
なお、筒部２１の左端部が側部開口部１３を構成している。
【００２９】
右壁部２２には、右側中央孔２３と、リブ２４と、挿入孔２５とが形成されている。
右側中央孔２３は、ハンドル軸５の右端部が貫通する孔であり、右壁部２２の中央部に設けられている。
【００３０】
リブ２４は、右側中央孔２３よりも前側に位置し、上下方向に延在する突起である。このリブ２４により右壁部２２の強度が向上している。
また、リブ２４においてハンドル軸５の中心軸Ｏ１よりも上側に、ガイド軸７１の前端７１ａを支持するガイド軸支持孔２４ａが形成されている。
一方で、リブ２４においてハンドル軸５のＯ１よりも下側に、スプール軸８の後部を後方に貫通させるための貫通孔２４ｂが形成されている。
以上から、ガイド軸７１は、ハンドル軸５の上側（脚部１１側）に配置され、スプール軸８の後部８ａは、ハンドル軸５の下側（脚部１１の反対側）に配置されている。
なお、貫通孔２４ｃには、駆動軸筒７の後端を支持するカラー８ｃが嵌め込まれている（図４参照）。
【００３１】
挿入孔２５は、右側中央孔２３よりも後方に形成されている。そして、この挿入孔２５を右壁部２２の外側（右側）に設けられた支持部材２６のボス部２７が貫通している。これにより、ボディ１０内の後部に、連動歯車７４を回転自在に支持するボス部２７が配置される。
【００３２】
図５（ａ）に示すように、筒部２１は、ハンドル軸５の中心軸０１を中心とする略円筒形状を呈している。
より詳細に説明すると、筒部２１の内周面２１ａは、ハンドル軸５の中心軸０１を中心とする円形状に形成され、かつ、ドライブギャ６の大きさに対応している。
筒部２１の外周面２１ｂは、ハンドル軸５の中心軸０１を中心とする略円形状に形成され、かつ、筒部２１の厚み（径方向の肉厚）が周方向において略均一になっている。
このため、筒部２１は、従来の筒部（側面視矩形筒状の筒部）よりも小型化しており、筒部２１の内周面２１ａとドライブギャ６との間には、不要な空間が生じないようになっている。
【００３３】
筒部２１の左端部（側部開口部１３）の内周面１３ａは、筒部２１の内周面２１ａと略同一径に形成され、比較的大きなドライブギャ６でも筒部２１内に容易に組み付けることができるようになっている。
【００３４】
また、図５（ｂ）に示すように、筒部２１の後部には、筒部２１の外周面２１ｂに形成された２つの保護カバー用雌ねじ穴２１ｃ（図６参照）と、筒部２１の後部を貫通する後部開口部１５とが形成されている
【００３５】
後部開口部１５は、ボディ１０内に組み付けられた部品の一部を受け入れてボディ１０外に、言い換えると、ボディ１０から後方に突出するように配置するための開口部である。
また、図５（ｂ）に示すように、後部開口部１５は、筒部２１において左右方向の中央部のみを貫通し、後部開口部１５の開口（孔）と側部開口部１３の開口（孔）とが連続しないようになっている。
言い換えると、側部開口部１３と後部開口部１５との間には、側部開口部１３と後部開口部１５とのそれぞれの開口の端縁を構成する円弧状の架橋部１４が延在している。
このため、本実施形態によれば、後部開口部１５の開口（孔）と側部開口部１３の開口（孔）とが連続する場合よりも、筒部２１の強度が向上している。
【００３６】
図６に示すように、保護カバー４０は、保護カバー用雌ねじ穴２１ｃに螺合するボルトＢに締め付けられ、ボディ１０（筒部２１）の後部開口部１５を覆うように固定されている。
また、保護カバー４０の前面は、後方に凹状に形成され、保護カバー４０の前面側に収容空間が形成されている。よって、後部開口部１５を介してボディ１０内から後方に突出する部品の一部を保護カバー４０内に収容することができる。
【００３７】
そのほか、保護カバー４０の内部上側には、ガイド軸７１の後端７１ｂが係合する被係合部４１が形成されている
保護カバー４０とボディ１０との間には、シール部材５０が設けられ、保護カバー４０とボディ１０との合わせ面から内部に水が浸入しないようになっている（図４、図６参照）。
【００３８】
つぎに、スプール往復動装置７０の配置について説明する。
【００３９】
図６に示すように、ボディ１０内の空間において、ガイド軸７１がハンドル軸５の上側（脚部１１側）に配置され、スプール軸８の後部８ａがハンドル軸５の下側（脚部１１の反対側）に配置されている。このため、リール本体１が高さ方向に短縮している。
つまり、円形状の側部開口部１３が形成されたボディ内部空間のハンドル軸５を境とした上下の内部スペースに、スプール往復動装置７０の摺動子７２の摺動案内用のガイド軸７１と摺動子７２に連結されてスプール３を前後動するスプール軸８とのそれぞれをバランス良く振り分け収容配置することが可能となり、リール本体１の小型化を図りつつ、スプール３の十分な前後ストロークを確保することができる。
また、円形状の側部開口部１３と相似形の外径を有するドライブギャ６を収容できるので、リール本体１の小型化を図りつつ、ドライブギャ６の可及的な大径化が可能となり、高速度ギャ比や強度の維持が可能となる。
【００４０】
摺動子７２は、ハンドル軸５の後方に配置されている。
摺動子７２の前面（ハンドル軸５に対向する対向面）には、後方に向って凹む凹部７２ａが形成されている。
そして、図６（ｂ）に示すように、摺動子７２が前方に移動した場合、凹部７２ａ内にハンドル軸５を受け入れるようになっている。
このため、凹部７２ａの凹み量の分だけ、摺動子７２のストロークが前方に拡大している。
【００４１】
連動歯車７４は、後部開口部１５を貫通するようにボディ１０に組み付けられており、連動歯車７４の一部（後部）が保護カバー４０内に収容されている。
また、ガイド軸７１の後端７１ｂが被係合部４１に係合し、ガイド軸７１が後部開口部１５を貫通している。
そして、偏芯突部７５の押圧によって最後端位置に移動した場合、摺動子７２の一部（後部）が保護カバー４０内に収容されるようになっている。
このため、摺動子７２のストロークは、ボディ１０内の空間に限定されず、後方に拡大している。
【００４２】
つぎに、蓋部材３０の詳細について説明する。
図２に示すように、蓋部材３０は、円形状に形成されている。
また、蓋部材３０の中央部には、ハンドル軸５の左端部が貫通する左側中央孔３１が形成されている。
【００４３】
図４に示すように、蓋部材３０は、外周端から左側中央孔３１に向うにつれて左側に突出し、断面が山形状を呈している。
また、蓋部材３０の外周端には、右方に延びて側部開口部１３の内側に挿入される円筒状の挿入部３３が形成されている。
図７に示すように、挿入部３３の外周面には、先端側（右端側）から基部側（左端側）に向って順に、雄ねじ部３３ａと、収容凹部３３ｃと、当接面３３ｂとが形成されている。
【００４４】
雄ねじ部３３ａは、側部開口部１３の内周面１３ａに形成された雌ねじ部１３ｂに螺合可能に形成されている。また、雄ねじ部３３ａが雌ねじ部１３ｂに螺合しており、蓋部材３０がリール本体１に固定されている。これにより、側部開口部１３は、蓋部材３０により塞がれている。
【００４５】
当接面（当接部）３３ｂは、側部開口部１３に蓋部材３０を螺合により装着する際、側部開口部１３の内周面１３ａに当接して、側部開口部１３に対する蓋部材３０の調芯作用を行うためのものである。
これによれば、ハンドル軸５の右側を支持するボディ１０の右側中央孔２３と、ハンドル軸５の左側を支持する蓋部材３０の左側中央孔３１との中心が一致し、同芯度が得られる。よって、ハンドル軸５は、リール本体１に対して左右方向に延在するように支持され、ハンドル軸５の回転がスムーズとなる。
【００４６】
ここで、ハンドル５ａの巻き取り操作時において、ハンドル軸５を支持する蓋部材３０には、中心軸Ｏ１を中心として径方向外側に向う荷重が作用する。
従来の構成によれば、複数のねじにより蓋部材がボディに固定され、蓋部材に作用した荷重がボディにおいてねじが締結された部位のみに作用し、荷重が集中していた。
一方で、本実施形態によれば、雄ねじ部３３ａと当接面３３ｂとを介して、挿入部３３の全周が円形の側部開口部１３により支持されている。よって、蓋部材３０に作用した荷重は、側部開口部１３の全周に均一に分散する。
【００４７】
収容凹部３３ｃは、雄ねじ部３３ａと当接面３３ｂとの間に形成された窪みであり、シール材としてＯリング３３ｄが外嵌されている。このため、挿入部３３と側部開口部１３との間から水が内部に浸入しないようになっている。
【００４８】
以上、実施形態によれば、有底円筒状のボディ１０の円形状の側部開口部１３と相似形の外径を有するドライブギャ６を収容できるので、リール本体１の小型化を図りつつ、ドライブギャ６の可及的な大径化が可能となり、高速度ギャ比や強度の維持が可能となる。
また、摺動子７２の凹部７２ａと後部開口部１５とにより、摺動子７２のストロークが前後方向に拡大するため、摺動子７２の前後ストロークを十分に確保することができる。
以上から、ボディ１０の小型化（有底円筒化）と、摺動子７２の前後ストロークの確保との両立を図ることができる
【００４９】
また、実施形態によれば、ハンドル５ａの巻き取り操作時に蓋部材３０に大きな荷重が作用しても、蓋部材３０に作用した荷重が側部開口部１３の全周に分散するため、ボディ１０の耐久性が向上する。
【００５０】
また、実施形態によれば、リール本体１の側部開口部１３と蓋部材３０とが螺合により固定されるため、ねじ等が不要となり、部品点数が削減する。
【００５１】
また、実施形態によれば、蓋部材３０の当接面３３ｂによりハンドル軸５の回転がスムーズとなり、ハンドル５ａの操作性が向上する。
【００５２】
また、実施形態によれば、連動歯車７４の後部を保護カバー４０内に収容することができる。このため、ボディ１０の筒部２１が円筒状に形成されてボディ１０の下部側の収容空間が小さくなったとしても、通常の大きさの連動歯車７４を使用することができる。
【００５３】
以上、実施形態について説明したが、本発明はこれに限定されない。
たとえば、摺動子７２の凹部７２ａにより十分なストロークを確保できる場合、ボディ１０に後部開口部１５を形成しなくてもよい。
また、ボディ１０と蓋部材３０との結合は、雌ねじ部１３ｂと雄ねじ部３３ａとの螺合でなくてもよく、ボルトによる固定であってもよい。
【００５４】
さらにまた、前記実施形態では、スプール軸８の後部８ａに連結固定した摺動子７２を、ハンドル軸５に連動回転する連動歯車７４（構成部材）の偏芯突部７５に係合させ、ハンドル軸５の回転をスプール軸８の前後往復動に変換させるスプール往復動装置を用いた例を挙げて説明したが、本発明はこれに限定されない。
例えば、ピニオンギャ７ａを有する駆動軸筒７に連動回転する公知の螺軸（構成部材）に摺動子７２を係合させてなるスプール往復動装置に実施してもよい。
【符号の説明】
【００５５】
１００  魚釣用スピニングリール
１      リール本体
５      ハンドル軸
６      ドライブギャ
１０    ボディ
１３    側部開口部
１４    架橋部
１５    後部開口部
２１    筒部
２２    右壁部
３０    蓋部材
３３    挿入部
３３ａ  雄ねじ部
３３ｂ  当接面
４０    保護カバー（カバー部材）
７０    スプール往復動装置
７１    ガイド軸
７２    摺動子
７４    連動歯車（構成部材）
【図１】
0006590682.tif 000002
【図２】
0006590682.tif 000003
【図３】
0006590682.tif 000004
【図４】
0006590682.tif 000005
【図５】
0006590682.tif 000006
【図６】
0006590682.tif 000007
【図７】
0006590682.tif 000008